(57)【要約】【課題】  医用画像の確認済の状態を確実にすることで画像確認の質を向上する医用画像確認装置及び医用画像確認方法を提供する。【解決手段】  この医用画像確認方法は、医用画像を表示部に表示し医用画像の確認を行う際に、医用画像が確認済みとみなされる条件を満たしているか否かを判定し、条件が満たされたと判定されたとき医用画像を確認済みと判断する。【選択図】  図７
2006095054.tif 000002
【特許請求の範囲】
【請求項１】
医用画像を表示部に表示し医用画像の確認を行う医用画像確認装置であって、
前記医用画像が確認済みとみなされる条件を設定する手段と、
前記医用画像が前記条件を満たしているか否かを判定する手段と、を具備し、
前記条件が満たされたと判定されたとき前記医用画像を確認済みと判断することを特徴とする医用画像確認装置。
【請求項２】
確認対象の医用画像を確認したときに操作する操作手段を具備し、前記操作手段が操作されたことを前記確認済みとみなされる条件とすることを特徴とする請求項１に記載の医用画像確認装置。
【請求項３】
確認対象の医用画像を前記表示部に表示した時間を計測する計測手段を具備し、前記計測した時間が所定時間を経過したことを前記確認済みとみなされる条件とすることを特徴とする請求項１または２に記載の医用画像確認装置。
【請求項４】
前記医用画像を前記表示部に表示する際の表示方式を指定する手段を具備することを特徴とする請求項１，２または３に記載の医用画像確認装置。
【請求項５】
確認対象の医用画像を前記表示部の確認用表示エリアに表示することを特徴とする請求項１乃至４のいずれか１項に記載の医用画像確認装置。
【請求項６】
同一検査に複数の医用画像があるとき、前記各医用画像について確認が行われ、前記判断手段は、すべての医用画像が確認済になったとき、確認済みと判断することを特徴とする請求項１乃至５のいずれか１項に記載の医用画像確認装置。
【請求項７】
前記判断手段が確認済みと判断していないとき、次の操作に移ることを禁止するかまたは警告を出すことを特徴とする請求項１乃至６のいずれか１項に記載の医用画像確認装置。
【請求項８】
医用画像を表示部に表示し医用画像の確認を行う医用画像確認方法であって、
前記医用画像が確認済みとみなされる条件を満たしているか否かを判定するステップと、
前記条件が満たされたと判定されたとき前記医用画像を確認済みと判断するステップと、を含むことを特徴とする医用画像確認方法。
【請求項９】
確認対象の医用画像を確認したときに操作部が操作されたことを第１条件とし、前記確認対象の医用画像を前記表示部に表示した時間が所定時間を経過したことを第２条件とし、前記確認済みとみなされる条件を前記第１条件及び前記第２条件の少なくともいずれか一方とすることを特徴とする請求項８に記載の医用画像確認方法。
【請求項１０】
前記医用画像を前記表示部に表示する際の表示方式を指定することを特徴とする請求項８または９に記載の医用画像確認装置。
【請求項１１】
確認対象の医用画像を前記表示部の確認用表示エリアに表示することを特徴とする請求項８，９または１０に記載の医用画像確認方法。
【請求項１２】
同一検査に複数の医用画像があるとき、前記各医用画像について確認が行われ、前記判断ステップにおいて、すべての医用画像が確認済になったとき、確認済みと判断することを特徴とする請求項８乃至１１のいずれか１項に記載の医用画像確認方法。
【請求項１３】
前記判断ステップにおいて確認済みと判断していないとき、次の操作に移ることを禁止するかまたは警告を出すことを特徴とする請求項８乃至１２のいずれか１項に記載の医用画像確認方法。
【請求項１４】
医用画像を発生する医用画像発生装置と、請求項１乃至７のいずれか１項に記載の医用画像確認装置と、前記医用画像確認装置で確認済みとされた医用画像を保存する画像保存装置と、を接続した医用画像保存システム。
【発明の詳細な説明】
【技術分野】
【０００１】
本発明は、発生した医用画像について診断に適したものか否かを確認する医用画像確認装置及び医用画像確認方法に関するものである。
【背景技術】
【０００２】
従来、医療用画像診断装置として、例えば、ＵＳ（ultrasound）装置、ＭＲI(magnetic resonance imaging）装置、ＣＴ(Computerized Tomography)装置、ＣＲ(Computed Radiography)装置等が知られており、これらの画像診断装置はモダリティ装置と呼ばれるが、これらの各種モダリティ装置によって撮影された画像は、プリンタによってフィルムにプリントアウトされたり、画像ビューワのディスプレイに表示されたり、あるいは画像保存装置（画像サーバ装置）において磁気ディスク、光磁気ディスク等の記憶手段に格納されてデータ保管される等の様々な態様で処理がなされる。
【０００３】
上記各種のモダリティ装置で得られた患者の診断画像は、放射線技師によって様々な処理を受けて読影済や確認済とされてから、上述のように画像保存装置等に送られる。例えば、下記特許文献１では、画像ファイルに「生成済み」、「確認済み」、「読影済み」などさまざまな属性を持たせることによるアクセス権限を管理することが開示されている。このような従来の「読影済」、「確認済」とは、一連の処理の中で、特定の処理が完了しているとの意味であり、画像を本当に確認したかは保証できない。
【０００４】
同一検査には、複数画像で構成されるケースが多く、決められた方式ですべての画像を技師か医師の目に通して(「検像」、「読影」等と呼ばれる）確認することになる。頻繁に大量の画像を診ているうちに、画像を本当に確認したかを忘れてしまうことが往々にして起こり、念のためもう一回を診ることもしばしばある。このため、確認作業の効率が低下することになる。また、偶に画像を確認することが漏れたり、忘れたり、ミスしたりことも考えられる。例えば、全然診ていないなのに、「確認済」にしてしまったり、診ていない画像が残っているのに、そのまま「確認済」にしてしまうことが起こり得る。
【特許文献１】特開２００２−１４０６８５号公報
【発明の開示】
【発明が解決しようとする課題】
【０００５】
本発明は、上述のような従来技術の問題に鑑み、医用画像の確認済の状態を確実にすることで画像確認の質を向上する医用画像確認装置及び医用画像確認方法を提供することを目的とする。
【課題を解決するための手段】
【０００６】
上記目的を達成するために、本発明による医用画像確認装置は、医用画像を表示部に表示し医用画像の確認を行う医用画像確認装置であって、前記医用画像が確認済みとみなされる条件を設定する手段と、前記医用画像が前記条件を満たしているか否かを判定する手段と、を具備し、前記条件が満たされたと判定されたとき前記医用画像を確認済みと判断することを特徴とする。
【０００７】
この医用画像確認装置によれば、医用画像が確認済みとみなされる条件を満たしているか否かを判定し、その条件が満たされたと判定されたとき医用画像を確認済みと判断するので、医用画像の確認済の状態を確実にすることができ、画像確認の質を向上できる。
【０００８】
上記医用画像確認装置において確認対象の医用画像を確認したときに操作する操作手段を具備し、前記操作手段が操作されたことを前記確認済みとみなされる条件とすることができる。例えば、表示部に確認ボタンを設け、その確認ボタンの押し下げで確認済みとみなすようにできる。
【０００９】
また、確認対象の医用画像を前記表示部に表示した時間を計測する計測手段を具備し、前記計測した時間が所定時間を経過したことを前記確認済みとみなされる条件とすることができる。また、この時間経過と上述の操作手段の操作の両方を確認済みとみなされる条件とすることができる。
【００１０】
また、前記医用画像を前記表示部に表示する際の表示方式を指定する手段を具備することで、表示方式を例えば、全体表示・等倍表示・出力形態での表示・フルスクリーン表示等とすることができる。また、確認専用の高精細な表示方式で確認対象の医用画像を表示することができる。
【００１１】
また、確認対象の医用画像を前記表示部の確認用表示エリアに表示するように構成できる。例えば、確認用表示エリアに確認対象の医用画像を表示した時間を上述の経過時間とすることができる。
【００１２】
また、同一検査に複数の医用画像があるとき、前記各医用画像について確認が行われ、前記判断手段は、すべての医用画像が確認済になったとき、確認済みと判断することが好ましい。
【００１３】
また、前記判断手段が確認済みと判断していないとき、次の操作に移ることを禁止するかまたは警告を出すことが好ましく、未確認の医用画像が外部に出力することを防止できる。
【００１４】
本発明による医用画像確認方法は、医用画像を表示部に表示し医用画像の確認を行う医用画像確認方法であって、前記医用画像が確認済みとみなされる条件を満たしているか否かを判定するステップと、前記条件が満たされたと判定されたとき前記医用画像を確認済みと判断するステップと、を含むことを特徴とする。
【００１５】
この医用画像確認方法によれば、医用画像が確認済みとみなされる条件を満たしているか否かを判定し、その条件が満たされたと判定されたとき医用画像を確認済みと判断するので、医用画像の確認済の状態を確実にすることができ、画像確認の質を向上できる。
【００１６】
上記医用画像確認方法において確認対象の医用画像を確認したときに操作部が操作されたことを第１条件とし、前記確認対象の医用画像を前記表示部に表示した時間が所定時間を経過したことを第２条件とし、前記確認済みとみなされる条件を前記第１条件及び前記第２条件の少なくともいずれか一方とすることが好ましい。
【００１７】
また、前記医用画像を前記表示部に表示する際の表示方式を指定することで、表示方式を例えば、全体表示・等倍表示・出力形態での表示・フルスクリーン表示等とすることができる。また、確認専用の高精細な表示方式で確認対象の医用画像を表示することができる。
【００１８】
また、確認対象の医用画像を前記表示部の確認用表示エリアに表示するようにできる。例えば、確認用表示エリアに確認対象の医用画像を表示した時間を上述の経過時間とすることができる。
【００１９】
また、同一検査に複数の医用画像があるとき、前記各医用画像について確認が行われ、前記判断ステップにおいて、すべての医用画像が確認済になったとき、確認済みと判断することが好ましい。
【００２０】
また、前記判断ステップにおいて確認済みと判断していないとき、次の操作に移ることを禁止するかまたは警告を出すことが好ましく、未確認の医用画像が外部に出力することを防止できる。
【００２１】
本発明による医用画像保存システムは、医用画像を発生する医用画像発生装置と、請求項１乃至７のいずれか１項に記載の医用画像確認装置と、前記医用画像確認装置で確認済みとされた医用画像を保存する画像保存装置と、を接続したものである。
【００２２】
この医用画像保存システムによれば、医用画像発生装置で発生した医用画像を医用画像確認装置で確実に確認してから画像保存装置に出力できるので、診断に適することを確認された医用画像を画像保存装置に保存できる。
【発明の効果】
【００２３】
本発明の医用画像確認装置及び医用画像確認方法によれば、医用画像の確認済の状態を確実にすることで画像確認の質を向上できる。また、本発明の医用画像保存システムによれば、診断に適することを確認された医用画像を画像保存装置に保存できる。
【発明を実施するための最良の形態】
【００２４】
以下、本発明を実施するための最良の形態について図面を用いて説明する。図１は、本実施の形態による医用画像確認装置を含む医用画像保存システムを示すブロック図である。図２は、図１の医用画像確認装置の構成を示すブロック図である。
【００２５】
図１に示す医用画像保存システムは、ＣＴ、ＭＲＩ、ＣＲ等の各種のモダリテイ機器の少なくとも１種からなりかつ撮影により医用画像を発生させる複数の医用画像発生装置１，２，３と、医用画像発生装置１〜３からの医用画像を表示し診断に適するものかを確認可能である医用画像確認装置４と、医用画像確認装置４から出力された医用画像を保存し登録することで管理する画像保存装置５と、画像保存装置５で保存された画像をディスプレイに表示する画像参照装置６と、を含む。
【００２６】
なお、画像保存装置５は、保存し管理している画像を画像参照装置６に提供する画像提供機能を有し、画像サーバ装置ともいわれる。また、画像参照装置６は、医師が診断のときに医用画像を参照するもので、画像ビューワともいわれる。
【００２７】
図１における各装置間の接続手段は、特に制限はなく、専用線にて接続されていてもよいし、ネットワークによる接続でもかまわない。装置１，２，３と装置４の間、装置４と装置５の間、装置５と装置６の間の各接続手段は同じ手段であってもよいし、それぞれ異なった手段であってもよい。ネットワークは、例えば単一の病院内に敷設されたＬＡＮ(Local Area Network)であったり、ＬＡＮは、単一のＬＡＮセグメントで構成されても、ルータ（またはゲートウェイ）経由で相互接続された複数のＬＡＮセグメントで構成されてもよい。更に、ネットワークは、専用線等を介して遠隔の病院のＬＡＮどうしを接続して構成されるＷＡＮ(Wide Area Network)やインターネットのような広域ネットワークであってもよい。
【００２８】
医用画像確認装置４は、パーソナルコンピュータから構成可能であり、図２のように、各医用画像発生装置１〜３から送信された医用画像を受信し一時的に蓄え保存する受信・保存部１１と、その受信した医用画像を確認等のために表示する液晶パネルやＣＲＴ等から構成される表示部１２と、ユーザが必要な動作を選択し入力するための操作部１３と、画像保存装置５へ確認済みの医用画像をその医用画像についての付帯情報とともに出力する出力部１４と、を備え、表示部１２に表示された医用画像について適宜必要な画像処理や修正の調整を行うことができる。
【００２９】
図２の医用画像確認装置４は、更に、確認対象の医用画像が確認済みとみなされる条件を設定する設定部１５と、確認対象の医用画像が表示部１２の確認用表示エリアに表示されている時間を計測する計測部１６と、確認対象の医用画像が確認済みとみなされる条件を満たしているか否かを判定する判定部１７と、を備える。
【００３０】
医用画像確認装置４の表示部１２には、確認用表示エリアがあり、この確認用表示エリアに医用画像を表示し確認を行うようになっている。確認用表示エリアは、特定のモニタ、例えば画像観察専用高精細モニタ、または、あるモニタの特定のエリアを指す。この確認用表示エリアの大きさ等の物理特性は、医用画像の確認にとって重要であり、確認作業に適したものに設定されている。
【００３１】
また、表示部１２の確認用表示エリアには、確認済みボタン（図３，図４参照）が表示され、そのボタンを操作部１３の操作で押し下げることで、その医用画像が確認済とみなされるようになっている。
【００３２】
医用画像確認装置４は、医用画像を表示部１２に次の表示方式により表示でき、操作部１３での操作によりいずれかの表示方式を選択可能である。
(1)全体表示・・・画像を確認用表示エリアのサイズに合わせて全体表示する。
(2)等倍表示・・・画像を実際のサイズで表示する。確認用表示エリアより大きい場合は確認用表示エリアの隣にスクロールバーを表示される。
(3)出力形態での表示・・・画像保存装置５への出力形態で表示する。医用画像以外の患者情報やコメント等が付加されることがある。
(4)フルスクリーン表示・・・表示エリアの内容をスクリーン全体まで拡大する。
【００３３】
上述の医用画像確認装置４において医用画像を確認済とみなすための方式（条件）には次の４種類がある。
【００３４】
(a)表示部１２の確認用表示エリアに医用画像を所定時間以上表示すると、確認済とみなす方式である。即ち、図２の計測部１６でその表示時間を計測し、所定時間を経過すると、判定部１７で確認済とみなす。
【００３５】
(b)表示部１２の確認用表示エリアに表示された確認ボタン２５（図３）を押し下げると、判定部１７で確認済とみなす方式である。
【００３６】
(c)上記(a)と(b)の併用方式であり、両方の条件が満たされると確認済とみなす方式である。即ち、医用画像を表示部１２の確認用表示エリアに所定時間以上表示してから、確認ボタン２５（図３）を押し下げると、判定部１７で確認済とみなす。
【００３７】
(d)上記(a)と(b)の併用方式であるが、いずれか一方の条件が満たされると確認済とみなす方式である。即ち、医用画像を表示部１２の確認用表示エリアに所定時間以上表示すること、及び、確認用表示エリアに表示された確認ボタン２５（図３）を押し下げたこと、のいずれか一方の条件が満たされると、判定部１７で確認済とみなす。
【００３８】
上記方式(a)〜(d)を図２の設定部１５に予め設定しておき、画像確認を行うとき、いずれかを選択することができ、また、上記方式(b)〜(d)における所定時間を設定部１５に設定しておくことができる。
【００３９】
次に、図２の医用画像確認装置４の表示部１２における表示例について図３乃至図６を参照して説明する。
【００４０】
図３は図２の表示部１２を通常モニタと高精細モニタで構成した例を模式的に示す図である。図４は図２の表示部１２を通常モニタで構成した例を模式的に示す図である。図５は図４の通常モニタをフルスクリーン表示に変えた様子を模式的に示す図である。図６は図３，図４の通常モニタに表示される処理完了パレットの例を模式的に示す拡大図である。
【００４１】
図３に示すように、図２の表示部１２は、通常モニタと高精細モニタで構成され、通常モニタは、医用画像発生装置１〜３から受信した医用画像を順次サムネールで表示する受信パレット２１と、医用画像の患者情報・検査情報をリストにて表示する患者検査情報リスト２２と、同一検査の複数の医用画像をサムネールで表示する検査画像パレット２３と、処理完了パレット２６と、を備える。
【００４２】
また、図３の高精細モニタは、医用画像発生装置１〜３からの医用画像を確認するために高精細に表示する確認用表示エリア２４と、確認用表示エリア２４に表示された医用画像を確認した後に押し下げることで、その医用画像を確認済とみなす確認ボタン２５と、を備える。
【００４３】
なお、確認用表示エリア２４における画像の表示方式の設定や変更等は、図２の設定部１５で操作部１３の操作により適宜行うことができる。また、医用画像の確認とは、画像が指示どおりに撮影されているが、医師の診断に適する品質であるか等を放射線技師が判断するものである。
【００４４】
図３において、同一検査には複数の医用画像があり、通常モニタの検査画像パレット２３にサムネール表示され、高精細モニタで一枚ずつ表示され確認を行い、医用画像の確認及び調整をすることができる。かかる確認が済み、確認ボタン２５を操作部１３の操作で押し下げると、その医用画像を確認済とみなすことができる。
【００４５】
また、表示部１２は、図４のように、通常モニタのみで構成されてもよい。即ち、図４の通常モニタは、図３と同様の受信パレット２１と、患者検査情報リスト２２と、検査画像パレット２３と、処理完了パレット２６と、を備え、更に、確認用表示エリア２４と確認ボタン２５とをモニタ全体の一部として備える。
【００４６】
図４の場合、図５のように、確認用表示エリアをフルスクリーン表示にも変えることが可能であり、フルスクリーン表示とした確認用表示エリア２４ａと確認ボタン２５ｂが表示されるようにしてもよい。
【００４７】
また、図３，図４の処理完了パレット２６は、図６のように、画像ＯＫボタン２６ａと、検査ＯＫボタン２６ｂとを備える。確認対象の医用画像が確認済となり、画像ＯＫボタン２６ａを操作部１３の操作で押し下げると、その医用画像は処理済となる。
【００４８】
また、同一検査の複数の医用画像すべてが確認済となり、図６の検査ＯＫボタン２６ｂを操作部１３の操作で押し下げると、同一検査のすべての医用画像が処理済となる。また、同一検査で確認済となっていない医用画像がある場合には、検査ＯＫボタン２６ｂを押し下げることができない。この場合、検査ＯＫボタン２６ｂを押し下げると、警告手段から警告が出るようにしてもよい。この警告手段は、例えば、表示部１２内の特定エリアに設けた発光部が点滅して発光するように構成できる。
【００４９】
次に、図１、図２の医用画像確認装置４の動作（ステップＳ０１乃至Ｓ１５）について図７のフローチャートを参照して説明する。
【００５０】
図７のように、図３または図４の確認用表示エリア２４に確認対象の医用画像が表示されている場合（Ｓ０１）、確認用表示方式の指定があれば（Ｓ０２）、その確認用表示方式で表示されているとき（Ｓ０３）、または、ステップＳ０２で確認用表示方式の指定がないとき、医用画像の確認済みをどう判定するかを図２の設定部１５に設定する。即ち、次のように、上記医用画像を確認済とみなすための４種類の方式(a)〜(d)の内のいずれか１つを設定する（Ｓ０４、Ｓ０７）。
【００５１】
方式(a)を設定した場合（Ｓ０４）、図３または図４の確認用表示エリア２４に医用画像を表示している間、図２の計測部１６で表示時間を計測し、その表示時間が設定時間以上となると（Ｓ０５）、判定部１７で確認済とみなす（Ｓ１２）。
【００５２】
また、方式(b)を設定した場合（Ｓ０４）、ユーザが図３、図４の確認用表示エリア２４に表示された医用画像の確認を行い、確認ボタン２５を押し下げると（Ｓ０６）、判定部１７で確認済とみなす（Ｓ１２）。
【００５３】
また、上記(a)と(b)の併用方式(c)を設定した場合（Ｓ０７）、図３または図４の確認用表示エリア２４に医用画像を表示している間、図２の計測部１６で表示時間を計測し、その表示時間が設定時間以上となり（Ｓ０８）、医用画像の確認を行い、確認ボタン２５（図３，図４）を押し下げると（Ｓ０９）、判定部１７で確認済とみなす（Ｓ１２）。
【００５４】
また、上記併用方式(d)を設定した場合（Ｓ０７）、図３または図４の確認用表示エリア２４に医用画像を表示している間、図２の計測部１６で表示時間を計測し、その表示時間が設定時間以上となると（Ｓ１０）、判定部１７で確認済とみなす（Ｓ１２）。また、その表示時間が設定時間に達する前に（Ｓ１０）、医用画像の確認を行い、確認ボタン２５（図３，図４）を押し下げると（Ｓ１１）、判定部１７で確認済とみなす（Ｓ１２）。
【００５５】
上述のようにして、確認対象の医用画像が確認済とみなされ（Ｓ１２）、図３，図４の処理完了パレット２６の画像ＯＫボタン２６ａ（図６）を押し下げると、その医用画像が処理済みと判断される（Ｓ１３）。
【００５６】
そして、その処理済みの医用画像をその患者情報や検査情報等の付帯情報とともに図２の医用画像確認装置４の出力部１４から図１の画像保存装置５に出力させ（Ｓ１４）、画像保存装置５に保存する（Ｓ１５）。
【００５７】
以上の図７で説明した動作における医用画像は単数の場合であるが、確認対象が同一検査の複数の医用画像である場合の動作（ステップＳ２１乃至Ｓ２５）について図８のフローチャートを参照して説明する。なお、同一検査とは、同一患者についての検査を意味する。
【００５８】
図７のステップＳ１２のように同一検査の複数の医用画像の内の一医用画像が確認済とみなされ、図３，図４の処理完了パレット２６の画像ＯＫボタン２６ａ（図６）を押し下げると、同一検査の未確認の医用画像があるとき、その未確認の医用画像が確認用表示エリア２４に表示され同様にして確認を行うようにして、すべての医用画像について確認済みとなるまで処理を続ける。
【００５９】
そして、同一検査のすべての医用画像が確認済みとなると（Ｓ２１）、図２の判定部１７で同一検査のすべての医用画像を確認済とする（Ｓ２２）。次に、図３，図４の処理完了パレット２６の検査ＯＫボタン２６ｂ（図６）を押し下げると、その同一検査が処理済みと判断され（Ｓ２３）、その処理済みの同一検査の複数の医用画像をその患者情報や検査情報等の付帯情報とともに図２の医用画像確認装置４の出力部１４から図１の画像保存装置５に出力させ（Ｓ２４）、同一検査の複数の医用画像を画像保存装置５に保存する（Ｓ２５）。
【００６０】
また、ステップＳ２１で同一検査のすべての医用画像が確認済みとなる前に、図３，図４の処理完了パレット２６の検査ＯＫボタン２６ｂ（図６）を押し下げようとしても押し下げることができないので、未確認の画像が残っていることが分かる。この場合、例えば発光による警告手段を設け、検査ＯＫボタン２６ｂを押し下げると、発光部が点滅して発光するので、未確認の画像が残っていることが分かる。
【００６１】
上述のようにして画像保存装置５に保存され登録された医用画像は医師の診断のために画像参照装置６に表示可能となる。
【００６２】
上述の図７，図８における医用画像確認装置４の各動作は、医用画像確認装置４の記憶装置等に格納されて起動したプログラムに従って医用画像確認装置４の各部１１乃至１７が制御され、必要な情報処理が実行される。
【００６３】
以上のように、本実施の形態の医用画像確認装置によれば、確認対象の医用画像が条件を満たすと確認済みと判定され、その医用画像を確認済みと判断することで、医用画像の確認済の状態を確実にすることができ、確認漏れや確認忘れを確実に防止できるので、画像確認の質を向上できる。これにより、検査画像の内容確保を担保でき、医療ミスの減少や患者サービスの向上等のメリットにつながり好ましい。
【００６４】
また、図１の医用画像保存システムによれば、医用画像発生装置１〜３で発生した医用画像を医用画像確認装置４で確実に確認してから画像保存装置５に出力できるので、診断に適することを確認された医用画像を画像保存装置５に保存可能となる。
【００６５】
以上のように本発明を実施するための最良の形態について説明したが、本発明はこれらに限定されるものではなく、本発明の技術的思想の範囲内で各種の変形が可能である。例えば、図１では、医用画像発生装置１〜３と医用画像確認装置４とを分けて構成しているが、装置によっては、両方の機能を備える構成としてもよい。この場合は、医用画像発生装置まで含めて本発明の医用画像確認装置といえる。
【００６６】
また、図１の医用画像発生装置１〜３のモダリテイ機器は、ＣＲ(computed radiography)やＣＴ(computed tomography：コンピュータ断層撮影装置) やＭＲI(magnetic resonance imaging：核磁気共鳴映像装置)以外であってもよく、ＤＲ(digital radiography:デジタルラジオグラフィー)やＵＳ（ultrasound：超音波診断装置）などの医用画像発生装置であってもよい。
【図面の簡単な説明】
【００６７】
【図１】本実施の形態による医用画像確認装置を含む医用画像保存システムを示すブロック図である。
【図２】図１の医用画像確認装置の構成を示すブロック図である。
【図３】図２の表示部１２を通常モニタと高精細モニタで構成した例を模式的に示す図である。
【図４】図２の表示部１２を通常モニタで構成した例を模式的に示す図である。
【図５】図４の通常モニタをフルスクリーン表示に変えた様子を模式的に示す図である。
【図６】図３，図４の通常モニタに表示される処理完了パレットの例を模式的に示す拡大図である。
【図７】図１、図２の医用画像確認装置及び医用画像保存システムの動作を説明するためのフローチャートである。
【図８】確認対象が同一検査の複数の医用画像である場合の動作を説明するためのフローチャートである。
【符号の説明】
【００６８】
１，２，３ 医用画像発生装置
４ 医用画像確認装置
５ 画像保存装置
６ 画像参照装置
１１ 受信・保存部
１２ 表示部
１３ 操作部
１４ 出力部
１５ 設定部
１６ 計測部
１７ 判定部
２４ 確認用表示エリア
２４ａ 確認用表示エリア
２５ 確認ボタン
２５ｂ 確認ボタン
２６ 処理完了パレット
２６ａ 画像ＯＫボタン
２６ｂ 検査ＯＫボタン
【図１】
2006095054.tif 000003
【図２】
2006095054.tif 000004
【図３】
2006095054.tif 000005
【図４】
2006095054.tif 000006
【図５】
2006095054.tif 000007
【図６】
2006095054.tif 000008
【図７】
2006095054.tif 000009
【図８】
2006095054.tif 000010